(57)【要約】【課題】机一側に当接するマルチタップボックス内にマルチタップが収容され、足がつまずいてマルチタップ、電線ケーブルが破損、家電、電気機器への電源供給が中断され、掃除機の導線を妨害する不便さを解消する。内部空間にマルチタップが収容されない場合は分離展開させて体積を最小化し、省スペース化できる。端末と接続された充電ケーブルが外力により離脱されることを防止し、端末を本体部の上側に取付けできる。【解決手段】マルチタップボックスはマルチタップが収容される、内部空間が形成された本体部１００と、一側が開放され、上部が机の一面側に渡り、下端が本体部の内部に収容され、本体部の荷重を支持し、机の下側に、本体部を固定する取付け部３００と、机上側に配置され、取付け部の上端部が一定長導入されると、取付け部が机一側から滑り、流動による離脱を防止するための固定部２００と、を備える。【選択図】  図１
2019204582.tif 000002
【特許請求の範囲】
【請求項１】
マルチタップが収容されるように、内部空間が形成された本体部と、
一側が開放され、上部が机の一側に渡ってなり、下端が前記本体部の内部に収容されると、本体部の荷重を支持するとともに、机の下側に、本体部が固定されるように備えられた取付け部と、
机の上側に配置され、前記取付け部の上端が一定長導入され、取付け部が机の一側からの滑りを防止するために備えられた固定部と、
を備えたことを特徴とする展開型マルチタップボックス。
【請求項２】
前記本体部は、
マルチタップが内部空間に収容され、引き出されるように、一側にヒンジが備えられ、
前後に開閉され、一側の垂直方向に延出され、両側に突出した複数のガイド部材が具備される前方側板と、
前方側板が開閉された後、前記マルチタップが内部空間に収容されるように、一側が前方側板のヒンジに結合され、他側に別のヒンジが備えられる下側板と、
前記取付け部が本体部の荷重を支持するように、取付け部の下部が導入された方向に固定収容溝が形成され、一側が下側板のヒンジに結合され、他側には別のヒンジが備えられる後方側板と、
後方側板の他側のヒンジに一側が結合されている上側板と、
前方側板が前記ガイド部材に接して開閉されるように、外側に複数のガイド部材に対応するガイド収容溝が複数形成され、内側が下側板、後方側板及び上側板の両側に結合される左側板、右側板と、
を備えたことを特徴とする請求項１記載の展開型マルチタップボックス。
【請求項３】
前記本体部は、
前記マルチタップに接続されている少なくとも一つ以上の充電ケーブルの先端が内部空間に収容されるように、前記後方側板の一側と下側板の他側両端及び後方側板の他側と上側板の一側の両端の角部分が球面化されて展開組み合わせると、複数の充電ケーブルが収容される複数のケーブル収容溝が形成されること、
を特徴とする請求項２記載の展開型マルチタップボックス。
【請求項４】
前記本体部は、
前記左側板と右側板が本体部から着脱されるように、前記下側板、後方側板及び上側板の両側にそれぞれ突起が具備され、
左側板と右側板の内側に突出部材収容されている突出部材収容溝が形成されていること、
を特徴とする請求項２記載の展開型マルチタップボックス。
【請求項５】
前記本体部は、
前記左側板と右側板とを、前記突出部材を介して分離させた後、本体部の他の部分が展開されるとき、前記下側板に備えられるヒンジを介して展開させた後、下側板と後方側板が当接し、上側板と前方側板が当接して展開されること、
を特徴とする請求項４記載の展開型マルチタップボックス。
【請求項６】
前記本体部は、
本体部が展開結合された後、流動による離脱を防止するように、前記前方側板に備えられたガイド部材の内側と上側板に備えられた突起部材が接するように、上側板が前方側板に挿入されること、
を特徴とする請求項５記載の展開型マルチタップボックス。
【請求項７】
前記取付け部は、
前記本体部の上側が机の一側が導入されるように、一側が開放された形態で構成されるクランプ材と、
本体部の机の下側に安定的に固定されるように、本体部の上側を押圧するための押圧部材と、
押圧部材が本体部を押圧、離隔されるように、押圧部材の下側に具備され、前記クランプ材の下端を床の垂直方向に、押圧部材を上下に移動させるようにされている軸部材と、
軸部材を介して押圧部材が床の垂直方向に、一定長だけ上下に移動されるように、軸部材の下側に備えられる回転調節部材と、を備えたこと、
を特徴とする請求項１記載の展開型マルチタップボックス。
【請求項８】
前記固定部は、
前記取付け部の上端が導入された後、端末が一側に取付けられ、端末の充電ケーブルの流動が発生しても端末が取付け状態を維持されるように、少なくとも複数の収容溝が形成され、一つの収容溝には、固定部の上部が収容され、もう一つの収容溝に充電ケーブルが収容されていること、
を特徴とする請求項１記載の展開型マルチタップボックス。
【請求項９】
前記固定部は、
前記取付け部の上端が導入された後、流動によって離脱されることを防止するように、少なくとも1つ以上の複数の収容溝のうち取付け部が収容される収容溝は取付け部の上部と対応する形状であること、
を特徴とする請求項８記載の展開型マルチタップボックス。
【発明の詳細な説明】
【技術分野】
【０００１】
本発明は、展開型タップボックスに関するもので、より詳細には、マルチタップを床面と離隔されるように用意される保管ボックスの内部空間に収容することができ、使用しない場合には、分離展開されて体積を最小化することができるマルチタップボックスに関するものである。
【背景技術】
【０００２】
一般的に、マルチタップとコンセントを必要な場所に延長し、コンセント数を増やして、家電、電気機器に電力を効率的に供給するための機構として、最近の家電用品の需要が増え、家庭、オフィス、工場などで広く使用されている。
【０００３】
これらのマルチタップは、それぞれの電気機器の電線ケーブルが互いに絡み合って識別することは困難であるだけでなく、床に設けられており、掃除の際にはマルチタップを移動させ、面倒であり、足がつまずいてマルチタップまたは電線ケーブルが破損し、また電気機器への電源供給が瞬間的に中断される不便さがある。
【０００４】
これを解決するためには、大韓民国登録特許公報第１０-１３２３０１３（２０１３.１０.２２登録）のようにケースが直方体形状で前方面が開放されて多数個のプラグが挿入されたコンセント部が内部空間に配置され、電線ケーブルのもつれを防止することができるようにケースが机の上に配置されるマルチチタップ装置が開発されたが、上記の技術は、コンセント部が内部空間に配置される直方体形状のケースが、ユーザーが操作を実行することができる机の上側スペースを占めている点と、ケースを別々に保管する際に直方体形状の状態であり、保管時に収容空間を占有するという点で不都合が存在する。
【先行技術文献】
【特許文献】
【０００５】
【特許文献１】大韓民国登録特許公報第１０-１３２３０１３号
【発明の概要】
【発明が解決しようとする課題】
【０００６】
本発明は、上記のような問題点を解決するためのもので、本発明の目的は、マルチタップが床面と離隔された机の下側に取り付けられ、内部空間を形成することにより、足がつまずいてマルチタップまたは電源ケーブルが破損したり、電気機器への電源が瞬間的に中断されたり、床掃除の際、掃除機の導線を妨害することを防止する展開型マルチタップボックスを提供することにある。
【０００７】
そして、本発明の他の目的は、別途保管時に分離展開されて体積を最小限にする展開型マルチタップボックスを提供することにある。
【０００８】
また、本発明の別の目的は、端末の充電ケーブルがマルチタップと接続されて充電される端末を机の上側に取付け可能な展開型マルチタップボックスを提供することにある。
【課題を解決するための手段】
【０００９】
上記目的を達成するため、本発明の実施形態に係る展開型マルチタップボックスは、マルチタップが収容されるように、内部空間が形成される本体部と、一側が開放された状態で上段が机の一側に渡ってなり、下端が上記本体部の内部に収容されると、上記本体部の荷重を支持するとともに、机の下側に、上記本体部が固定される固定部を備え、机の上側に配置され、前記固定部の上端部中に一定長の口と、前記固定部が机の一側から滑るのを防止するための取付け部と、を備えたものである。
【００１０】
そして、前記本体部は、前記マルチタップが内部空間に収容され、引出されるように、一側にヒンジが備えられ前後に開閉され、前記一側の垂直方向に延長形成された両側に突出した複数のガイドが備えられる前方側板と、上記前方側板が展開後、前記マルチタップが内部空間に収容されるように、一側が前記前方側板のヒンジを介して接続され、他側には別のヒンジが備えられた側板と、前記固定部が前記本体部の荷重を支持するように、前記固定部の下端が導入される固定用の収容溝が形成され、一側が前記下側板のヒンジに結合され、他側には別のヒンジが備えられた後方側板と、前記後方側板の他側に備えられるヒンジに一側が結合されている上側板と、前記前方側板が一対の前記ガイドに基づいて開閉されるように、外側に複数のガイドと対応するガイド収容溝が複数形成され、内側が前記下側板、後方側板及び上側板の両側に結合される左側板、右側板と、を備えたものである。
【００１１】
また、前記本体部は、前記マルチタップに接続されている少なくとも一つ以上の充電ケーブルの先端が内部空間に収容されるように、前記後方側板の一側と前記下側板の他側両端及び後方側板の他側と上側板の一側の両端の前端部が球面化され、展開組み合わせると、複数の充電ケーブルが収容される複数のケーブル収容溝が形成されている。
【００１２】
そして、前記本体部は、前記左側板と右側板には、本体部から着脱されるように、前記下側板、後方側板及び上側板の両側にそれぞれ突起部材が具備され、左側板と右側板の内側に突起部材が収容される突起部材収容溝が形成されている。
【００１３】
また、前記本体部は、前記左側板と右側板が、突出部材に基づいて分離された後、本体部が展開されるとき、前記下側板のヒンジを介して展開された後、下側板と後方側板が当接し、上側板と前方側板が当接した状態で展開させることができる。
【００１４】
そして、前記本体部は、本体部の展開結合された後、ケーブルの滑りを防止するように、前方側板に備えられたガイドの内側と上側板の突起部材に接して、上側板が前方側板に挿入された状態となる。
【００１５】
また、前記固定部は、前記本体部の上側と机の一側が導入されるように、一側が開放された形状のクランプ材と、本体部の机の下側に安定的に固定されるように、本体部の上側を押圧する押圧部材と、押圧部材が本体部を押圧、または本体部から離隔されるように、押圧部材の下側に具備され、クランプ材の下端を床の垂直方向に貫通し、回転させると、押圧部材を上下に移動させる軸部材と、軸部材を回転させた押圧部材を一定の高さだけ上下に移動させるように、軸部材の下側に備えられた回転調節部材と、を備えている。
【００１６】
そして、前記固定部は、取付け部の上端が挿入された後、端末が一側に取付けられるが、端末と接続された充電ケーブルが流動しても端末が取付けられた状態が維持されるよう、少なくとも一つ以上の複数の収容溝が形成され、一つの収容溝には、取付け部の上部が収容されており、もう一つの収容溝に充電ケーブルが収容される。
【００１７】
また、前記固定部は、取付け部の上端が挿入された後、流動によって離脱されることを防止するように、少なくとも一つ以上の複数の収容溝のうち取付け部が収容されている収容溝は、取付け部の上部の形状と対応させてある。
【発明の効果】
【００１８】
これにより、机の一側に当接しているマルチタップボックスの内部空間の遠い部位が収容されることによって、足がつまずいてマルチタップまたは電線ケーブルが破損したり、電気機器への電源供給が瞬間的に中断されたり、床掃除の際、掃除機の導線を妨害する不便さを解消する効果がある。
【００１９】
そして、マルチタップボックスの内部空間にマルチタップが収容されない場合には、分離展開されて体積を最小化した状態でマルチタップボックスを収納できる省スペースとする効果がある。
【００２０】
また、端末と接続された充電ケーブルが流動によって離脱されることを防止し、端末を机の上側に取付けできる効果がある。
【図面の簡単な説明】
【００２１】
【図１】本発明の一実施形態に係る展開型マルチタップボックスの全体斜視図。
【図２】本発明の一実施形態に係る展開型マルチタップボックスの内部にマルチタップが収容された状態を示す図。
【図３】本発明の一実施形態に係る展開型マルチタップボックスの使用状態を示す図。
【図４ａ】本発明の一実施形態に係る本体部が分離展開された状態を示す図.
【図４ｂ】本発明の一実施形態に係る本体部の展開結合された状態を示す図。
【図５】本発明の一実施形態に係る固定部と取付け部結合された状態を示す図。
【図６ａ】本発明の一実施形態に係る机の下側に、本体部を取付ける前の状態を示す図。
【図６ｂ】本発明の一実施形態に係る机の下側に、本体部を取付けた状態を示す図。
【図７】本発明の一実施形態に係る取付け部の使用状態を示す図。
【図８ａ】本発明の他の実施形態を示す斜視図。
【図８ｂ】本発明の他の実施形態を示す斜視図。
【図８ｃ】は本発明のさらに他の実施形態を示す斜視図。
【発明を実施するための形態】
【００２２】
以下では、本発明の実施例を、添付図面を参照して詳細に説明する。以下に示す実施例は、本発明の属する技術分野における通常の知識を持っている者に本発明の思想が十分に伝達されるようにするために、例として提供されるものである。本発明は、以下説明される実施例に限定されず、他の形態構成を適用することもできる。本発明を明確に説明するために説明と関係ない部分は図面では省略し、図面において、構成要素の幅、長さ、厚さなどは、便宜のために誇張されて表現されることもある。明細書全体にわたって同一符号は、同じ構成要素を示す。
【実施例１】
【００２３】
本発明の一実施例による展開型マルチタップボックスはマルチタップが床面と離隔された机の下側に取付けられ、形成された内部空間に収容されることによって、足がつまずいてマルチタップまたは電線ケーブルが破損したり、電気機器への電源供給が瞬間で中断されたり、床掃除の際、掃除機の導線を妨害することを防止する展開型マルチタップボックスを提供するものである。
【００２４】
図1は、本発明の一実施形態に係る展開型マルチタップボックスの全体を示す斜視図であり、図2は、本発明の一実施形態に係る展開型タップボックス内部にマルチタップが収容された状態を示す図であり、図3は、本発明の一実施形態に係る展開型マルチタップボックスの使用状態を示す図である。
【００２５】
図1及び図3に示すように、本発明の一実施形態に係る展開型マルチタップボックスは本体部１００、固定部２００、取付け部３００を備えている。
【００２６】
本体部１００は、机２０下側に当接し、内部空間にマルチタップ３０が収容され、収容されない場合に分離展開される構成である。
【００２７】
固定部２００は、机２０の上側に配置され、本体部１００が机２０の下側に取付けられた状態のとき、端末１０を経て、上記端末１０との接続充電ケーブル１１が、本体部１００の内部空間に収容されているマルチタップ３０に接続された上、状態流動によって分離されることを防止するように構成されている。
【００２８】
取付け部３００は、本体部１００が机２０の下側に当接させるため、机の一側と本体部１００を把持する形で設置、固定させ、固定部２００が机２０の上側に配置されるよう、固定部２００の内部に引き込まれて固定部２００が結束されると、端末１０が固定部２００に安全に取付けられる。
【００２９】
図４aは、本発明の一実施形態に係る本体部が分離展開された状態を示す図であり、図４ｂは、本発明の一実施形態に係る本体部の展開結合された状態を示す図である。
【００３０】
図4に示すように、本体部１００は、床面と離隔された位置の机２０の下側に当接し、内部空間にマルチタップ３０が収容され、または収容されない場合、分離展開されて体積を減らした状態で保管するために、前方側板１１０、下側板１２０、後方側板１３０、上側板１４０、両側板１５０と、により構成されている。
【００３１】
前方側板１１０は、本体部１００の内部空間にマルチタップ３０が収容され、または引き出されるように開放、閉鎖され、マルチタップ３０が収容されない場合には、分離展開されて折り畳まれるように、一側のヒンジを介して展開され、前記ヒンジは下側板１２０の一側に結合された状態で備えられる。
【００３２】
そして、前方側板１１０は、ユーザーが本体部１００の内部空間のマルチタップ３０を容易に収容、及び引き出されるように、前方側板１１０の幅に使用者の指が入るほどの導入溝１１１が形成される。
【００３３】
加えて、前方側板１１０は、一側のヒンジをベースに、本体部１００の内部空間が開閉されるように、両側に突出した複数のガイド部材１１２ａ、１１２ｂを備え、複数のガイド部材１１２ａ、１１２ｂは、本体部１００の両側面に備えられた両側板１５０の外側に形成される複数のガイド収容溝１５４から着脱する。
【００３４】
より詳しくは、複数のガイド収容溝１５４に、複数のガイド部材１１２ａ、１１２ｂが収容されると、マルチタップ３０が本体部１００の内部空間に収容された状態で前方側板１１０が閉鎖されており、複数のガイド部材１１２ａ、１１２ｂが複数のガイド収容溝１５４から引き出され、ヒンジを介して、マルチタップ３０が、本体部１００の内部空間から引き出されるように、前方側板１１０が開放される。
【００３５】
下側板１２０は、本体部１００の内部空間にマルチタップ３０が収容されるように、マルチタップ３０が収容されない場合には、分離展開されて折畳まれるように、一側が前方側板１１０のヒンジを介して展開され、他側は後方側板１３０の一側に別のヒンジが備えられる。
【００３６】
また、下側板１２０は、マルチタップ３０が、本体部１００の内部空間に収容されない場合には、分離展開されて折り畳めるように、両側板１５０が着脱可能にロックする突起部材１２１ａ、１２１ｂが両側に突出させて備えられる。
【００３７】
後方側板１３０は、本体部１００の内部空間にマルチタップ３０が収容されない場合には、分離展開されて折り畳むようするために、一側が下側板１２０のヒンジと結合されて前記ヒンジを介して展開され、他側には上側板１４０の一側と結合されるヒンジが備えられる。
【００３８】
そして、後方側板１３０は、本体部１００を机２０の下側に当接させてロックするには、本体部１００の荷重を支持することになり、取付け部３００の下端が本体部１００の内部に収容されるように固定収容溝１３２が幅方向の一端に形成されている。
【００３９】
加えて、後方側板１３０は、マルチタップ３０が本体部１００の内部空間に収容されない場合には、分離展開されて折り畳まれるように、両側板１５０を着脱可能にする突起部材１３１ａ、１３１ｂが両側に突出した状態で備えられる。
【００４０】
上側板１４０は、本体部１００が取付け部３００を介して机２０の下側に当接させ、本体部１００の内部空間にマルチタップ３０が収容されない場合は、分離展開されて折り畳まれるように、一側が後方側板１３０のヒンジを介して展開される。
【００４１】
また、上側板１４０は、マルチタップ３０が、本体部１００の内部空間に収容されない場合には、分離展開されて折り畳まれるように、両側板１５０を着脱可能にロックする突出部材１４１ａ、１４１ｂが両側に突出した状態で備えられる。
【００４２】
両側板１５０は、本体部１００が結合された場合には、本体部１００の両側に、左側板１５０ａ、右側板１５０ｂが備えられ、本体部１００の内部空間にマルチタップ３０が収容されない状態で分離展開されるときには、本体部１００の両側面から分離される。
【００４３】
このとき、両側板１５０ａ、１５０ｂは、本体部１００を構成する下側板１２０、後方側板１３０、上側板１４０の両側に突出した各突出部材から着脱するため、突出部材収容溝１５１、１５２、１５３が両側板１５０ａ、１５０ｂの内側に、それぞれ形成される。
【００４４】
そして、本実施例では図４ａに示すように、右側板１５０ｂの内側にも突出部材収容溝１５１．１５２．１５３が形成されるものであり、左側板１５０ａの外側にガイド収容溝１５４が形成されることが望ましい。
【００４５】
また、本実施例では、第１突起部材収容溝１５１は、下側板の突出部材１２１ａ、１２１ｂとの結合により本体部１００から着脱され、第２突起部材収容溝１５２は、後方側板１３０の突起部材１３１ａ、１３１ｂとの結合により本体部１００から着脱され、第３突起部材収容溝１５３は、上側板１４１ａ、１４１ｂとの結合により本体部１００から着脱される。
【００４６】
加えて、本体部１００の下側板１２０、後方側板１３０、上側板１４０の両側には各突起部材を備えておらず、突出部材収容溝１５１、１５２、１５３が形成される場合には、逆に、両側板１５０ａ、１５０ｂの内側に複数の突起部材を介して本体部１００から着脱することができる。
【００４７】
本実施形態では、本体部１００が内部空間にマルチタップ３０を収容してない場合に分離展開された後に結合されるように、下側板１２０と後方側板１３０の間のヒンジを介して、下側板１２０と後方側板１３０が接触するようになり、前方側板１１０と上側板１４０が接触する。
【００４８】
このとき、本体部１００が展開されると流動によって分離されることを防止するために、分離展開させた後、前方側板１１０の両側に具備される複数のガイド部材１１２ａ、１１２ｂの内側に上側板１４０の両側に具備される突出部材１４１ａ、１４１ｂが接触することにより、分離展開されて当接した状態での本体部１００の結束力が強化される。
【００４９】
そして、本体部１００の内部に机２０の上側からのケーブルが自由に収容、引き出すようにするためには、本体部１００は、机２０の下側に当接した状態で内部空間にマルチタップ３０が収容されると、下側板１２０の他側と結合されている後方側板１３０の一側の両端および後方側板１３０の他側と上側板１４０の一側の両端、の角を球面化し、マルチタップ３０と接続されるケーブルが自由に本体部１００に収容、引出すことができる複数の溝が形成されている。
【００５０】
従って、机２０の下側に当接する本体部１００の前方側板１１０を外部から開放された状態でマルチタップ３０を収容し、このマルチタップ３０にケーブルが接続された後に、複数のケーブルを収容、引出すことができる内部空間から外部に引き出され、外部機器と接続することができ、マルチタップ３０にケーブルが接続されると、前方側板１１０を外部から閉鎖でき、マルチタップ３０を安全に収納できる。
【００５１】
図５は、本実施形態に係る固定部と取付け部とを結合させた状態を示す図であり、図６ａは、本実施形態に係る机の下側に、本体部が当接する前の状態を示す図であり、図６ｂは、本実施形態に係る机の下側に、本体部が当接した状態を示す図である。
【００５２】
図５及び図６に示すように、机２０の下側に、本体部１００が当接するように、机２０の上側に端末１０を固定した状態で、端末１０を取付けると同時に、端末１０と接続された充電ケーブル１１の流動により、本体部１００の内部空間に収容された状態のマルチタップ３０から分離されないように、固定部２００、取付け部３００を備えている。
【００５３】
固定部２００は、ボックス形で机２０の上側に配置され、外側に端末１０の一側が取付けられる台座の役割をし、複数の収容溝２１０、２２０が机２０の幅方向と平行な方向に形成され、複数の収容溝２１０、２２０にそれぞれ充電ケーブル１１と取付け部３００の上端が導入、引き出されるようにしてある。
【００５４】
そして、固定部２００は、複数の収容溝２１０、２２０の一つの収容溝は机２０の下側に、本体部１００が当接すると、取付け部３００の上部形状と対応するように形成され、取付け部３００の上部が一定長挿入される場合は、1つの収容溝に挿入され、取付け部３００が机の一側に架けられた状態で強固に結束させることができる。
【００５５】
本実施例では、取付け部３００の上部形状と対応する収容溝は、一対の収容溝のうち机２０の上側により近い収容溝２１０に限定して説明する。
【００５６】
また、収容溝２２０は、端末１０と接続された充電ケーブル１１を貫通させて机２０の下側に当接した本体部１００の内部空間に収容されているマルチタップ３０に接続されると、流動により充電ケーブル１１がマルチタップ３０から分離しないようにする。
【００５７】
取付け部３００は、本体部１００が机２０の下側にが当接するように、クランプ材３１０、固定部材３２０、とから構成される。
【００５８】
クランプ材３１０は、本体部１００が机２０の下側に取付けられるように、一側が開放された状態で上部は机２０の一側に渡って、下部には、本体部１００の固定収容溝１３２に引き込まれて、本体部１００の荷重を支持する形で備えられる。
【００５９】
固定部材３２０は、クランプ材３１０の下端が本体部１００の内部に導入されるとき、本体部１００の荷重を強固に支持するようにするために、押圧部材３２１、回転調節部材３２２、軸部材３２３を含んでいる。
【００６０】
押圧部材３２１は、本体部１００が机２０の下側に密着するようにするために、軸部材３２３の上側に設置され、本体部１００の上側板１４０を机２０の下側方向に押圧して上側板１４０と机２０の下側に密着するようにしてある。
【００６１】
回転調節部材３２２は、本体部１００が机２０の下側に備えられ、または利用されないようにするためには、軸部材３２３の下側に設置され、いずれかの方向に回転させると、押圧部材３２１が上側に移動し、本体部１００が机２０に密着し、反対方向に回転させると、押圧部材３２１が下側に移動し、本体部１００が机２０から離間するように備えられる。
【００６２】
軸部材３２３は、回転調節部材３２２の回転方向に沿って押圧部材３２１が上側または下側に移動するように、本体部１００と机２０が密着、離隔されるように備えられる。
【００６３】
図７は、本実施形態に係る取付け部の使用状態を示す図であり、図８ａは、本発明の他の実施形態に係る取付け部を示す図であり、図８ｂは、本発明の他の実施形態に係る取付け部を示す図であり、図８ｃは、本発明の別の実施形態に係る取付け部を示す図である。
【００６４】
図７及び図８に示すように、固定部２００は、携帯電話と接続している充電ケーブルが流動しても端末が取付けられた状態が維持されるように構成されている。
【００６５】
図８ａに示される固定部２００は、取付け部３００の上部が一定長収容され、引き出され、端末１０に接続された充電ケーブル１１が収容されると、本体部１００の内部空間に収容された状態のマルチタップ３０から分離されないように、第１固定部２００と第２固定部２００’で構成されている。
【００６６】
より詳細には、固定部２００、２００’に取付け部３００の上部が収容されるか、引き出されるように形成される収容溝２１０、２１０’と充電ケーブル１１が収容、引き出されるように形成されている収容溝２２０、２２０’が形成される。
【００６７】
加えて、ユーザーが端末１０を使用すると、充電ケーブル１０が収容溝２２０、２２０’の内部に収容された状態で流動を容易に防止すると同時に破損を防止するため、収容溝２２０、２２０'が形成された固定部の上側２０１は、シリコンまたはゴム材質としてある。
【００６８】
そして、固定部の上側２０１が収容溝２２０、２２０’よりも小さく形成され、、ユーザーが端末１０を収容溝２００、２００’に取付けると、より容易に取付けられた状態で使用可能である。
【００６９】
また、収容溝２００、２００'は、少なくとも一つ以上用意され、端末１０に接続された充電ケーブル１１のうち一定長収容されることにより、端末１０の流動による破損をより防止することができ、机２０の上側により長く配置されるので、取付け部３００が机２０の一側に架けられた状態で強固に結束される。
【００７０】
図８ｂに示された別の実施形態に係る固定部２００は、取付け部３００の上部に一定長収容、引き出され、端末１０に接続された充電ケーブル１１が収容され、軸に巻き取られた状態で、本体部１００の内部空間に収容された状態のマルチタップ３０から分離されないようにしてある。
【００７１】
より詳細には、固定部２００に取付け部３００の上部が収容、引き出されるように形成された収容溝２１０とシリコンまたはゴム材質で形成された取付け部の上側２０１に形成された収容溝２２０、２２０’に端末１０に接続された充電ケーブル１１が収容され、または引き出される。
【００７２】
このとき、充電ケーブル１１の収容溝２２０、２２０’の内部から滑り離脱することを防止するため、固定部の上側２０１の中心に固定部２００と連結軸を中心に充電ケーブル１１が巻き取られた後、端末１０に接続された状態で使用されるものである。
【００７３】
加えて、固定部の上側２０１が、シリコンまたはゴム材質で形成され、固定部の上側２０１の両端は、外部作用によって湾曲可能になり、ユーザーが充電ケーブル１１を軸に巻き取らせることができるようになる。
【００７４】
そして、取付け部の上側２０１の両端は、床と垂直方向に突出した形とすることにより、充電ケーブル１１が軸に巻き取られていない状態で収容されるようにするとともに、収容溝２２０、２２０’が形成されるようにしてある。
【００７５】
図８ｃに示された別の実施形態に係る固定部２００は、取付け部３００の上部中に一定長が収容、引き出され、複数の端末１０に接続されている複数の充電ケーブル１１が導入されると、本体部１００の内部空間に収容されたマルチタップ３０から分離されないようにしてある。
【００７６】
より詳細には、固定部２００に取付け部３００の上端が導入、引き出されるように形成される収容溝２１０と固定部２００の上側に複数の充電ケーブル１１、この収容、引き出される複数の収容溝２２０、２２０’に形成される。
【００７７】
従って、固定部２００が机２０の上側に配置された状態で取付け部３００が机２０の一側に架けられた状態が維持され、複数の端末１０に接続された複数の充電ケーブル１１が収容され、流動により複数の充電ケーブル１１の先端が接続されたマルチタップ３０から分離されることを防止する。
【００７８】
また、複数の充電ケーブル１１が引き込まれる収容溝２２０、２２０’が形成されることにより、複数の端末１０を充電させる状態で使用できる。
【００７９】
加えて、別の実施形態に係る固定部２００に形成された充電ケーブル１１が収容、引き出される複数の収容溝２２０、２２０’が２つ形成された状態である（図８ｃ参照）が、これよりも多くの収容溝を形成させ、より多くの充電ケーブル１１が収容、引出すこともできる。
【００８０】
これにより、机の一側に当接させたマルチタップボックスの内部空間に収容されることにより、足がつまずいてマルチタップまたは電線ケーブルが破損したり、電気機器への電源供給が瞬間的に中断されたり、床掃除の際、掃除機の導線を妨害する不便さを解消する効果がある。
【００８１】
そして、マルチタップボックスの内部空間にマルチタップが収容されない場合に分離展開され、体積を最小化した状態でマルチタップボックスを収納できる省スペースの効果がある。
【００８２】
また、端末と接続された充電ケーブルが流動によって離脱されることを防止し、端末を机の上側に取付けできる効果がある。
【００８３】
以上では、本発明の好ましい実施例について図示して説明したが、本発明は、上述した特定の実施例に限定されず、請求の範囲で請求する本発明の要旨を逸脱することなく、当該発明の属する技術分野における通常の知識を有する者によって多様な変形実施が可能なのはもちろん、このような変形実施は本発明の技術的思想や前方から個別的に理解されてはならないことである。
【符号の説明】
【００８４】
１００：本体部、１１０：前方側板、１１１：導入溝、
１１２ａ、１１２ｂ：ガイド部材、１２０：下側板、１２１：突起部材、
１３０：後方側板、１３１：突起部材、１３２：固定収容溝、
１４０：上側板、１４１：突出部材、１５０ａ：右側板、１５０ｂ：左側板、
１５１：突起部材収容溝、１５２：突起部材収容溝、
１５３：突起部材収容溝、１５４：ガイド収容溝、２００：固定部、
２１０：第1収容溝、２２０：第2収容溝、３００：取付け部。
３１０：クランプ材、３２０：固定部材、３２１：押圧部材、
３２２：回転調節部材、３２３：軸部材
【図１】
2019204582.tif 000003
【図２】
2019204582.tif 000004
【図３】
2019204582.tif 000005
【図４ａ】
2019204582.tif 000006
【図４ｂ】
2019204582.tif 000007
【図５】
2019204582.tif 000008
【図６ａ】
2019204582.tif 000009
【図６ｂ】
2019204582.tif 000010
【図７】
2019204582.tif 000011
【図８ａ】
2019204582.tif 000012
【図８ｂ】
2019204582.tif 000013
【図８ｃ】
2019204582.tif 000014